(57)【特許請求の範囲】
【請求項１】
起立状姿勢と前方倒れ姿勢の間を揺動可能として、下端（３ｂ）が基枠（２）に枢支されると共に上部（３ａ）に切断刃部（39）を有する揺動カッター部材（３）を有し、
上記起立状姿勢の上記揺動カッター部材（３）の後方近傍位置に、引き出された粘着テープ（10）を保持する粘着テープ仮貼着部（25）を設け、
上記揺動カッター部材（３）における上記切断刃部（39）の後方近傍位置に、該切断刃部（39）にて切断された上記粘着テープ（10）の切断端縁が仮貼着する切断端縁受け部（38）を形成し、
引き出された上記粘着テープ（10）を、上記前方倒れ姿勢の上記揺動カッター部材（３）にて切断し、上記切断刃部（39）と上記仮貼着部（25）の間の短寸法（Ｓ）のテープ先端領域（Ｅ）を上方凸形に弯曲するように上記揺動カッター部材（３）を後方揺動させて起立状姿勢まで揺動すると折り返しタブ（11）が形成されるように構成し、
さらに、上記折り返しタブ（11）を形成する際に、上記テープ先端領域（Ｅ）が下方へ撓むのを防ぐための舌片部（31）を上記揺動カッター部材（３）の後面（３ｅ）から後方へ一体状に突設し、
上記舌片部（31）は、平面視前後方向一文字型の薄板形状であって、
上記揺動カッター部材（３）の前方倒れ姿勢に於て、上記舌片部（31）の上縁部（31ａ）が側面視で上記粘着テープ（10）の下面（10ｅ）に点状に当接するように構成し、
上記舌片部（31）の上縁部（31ａ）において上記粘着テープ（10）の下面（10ｅ）に点状に当接するテープ支持部（31ｇ）の横断面形状を、先細山型に形成し、
上記テープ支持部（31ｇ）が、上記揺動カッター部材（３）の下端（３ｂ）の枢支軸心（Ｌ３）廻りに揺動して、上方凸型円弧状の軌跡を描くように構成したことを特徴とするテープカッター。
【発明の詳細な説明】
【技術分野】
【０００１】
本発明は、テープカッターに関する。
【背景技術】
【０００２】
従来、梱包や包装作業において、粘着テープを仮止めとして用いる場合に、粘着テープ巻体から引き出した粘着テープに紙やプラスチックの薄片を貼着させて切断し、剥離用薄片付き粘着テープを形成するテープカッターがあった（例えば、特許文献１参照）。
【先行技術文献】
【特許文献】
【０００３】
【特許文献１】実開昭６０−３３５４９号公報
【発明の概要】
【発明が解決しようとする課題】
【０００４】
しかし、粘着テープに剥離用薄片を貼着させるテープカッターは、剥離用薄片が消耗品となるためランニングコストがかかると共に、剥離用薄片の補充といった手間がかかるといった問題があった。
【０００５】
そこで、本発明は、容易かつ確実に仮止め用粘着テープを形成でき、剥離用紙片のコストや補充作業が不要で、使い勝手の良いテープカッターの提供を目的とする。
【課題を解決するための手段】
【０００６】
上記目的を達成するために、本発明のテープカッターは、起立状姿勢と前方倒れ姿勢の間を揺動可能として、下端が基枠に枢支されると共に上部に切断刃部を有する揺動カッター部材を有し、上記起立状姿勢の上記揺動カッター部材の後方近傍位置に、引き出された粘着テープを保持する粘着テープ仮貼着部を設け、上記揺動カッター部材における上記切断刃部の後方近傍位置に、該切断刃部にて切断された上記粘着テープの切断端縁が仮貼着する切断端縁受け部を形成し、引き出された上記粘着テープを、上記前方倒れ姿勢の上記揺動カッター部材にて切断し、上記切断刃部と上記仮貼着部の間の短寸法のテープ先端領域を上方凸形に弯曲するように上記揺動カッター部材を後方揺動させて起立状姿勢まで揺動すると折り返しタブが形成されるように構成し、さらに、上記折り返しタブを形成する際に、上記テープ先端領域が下方へ撓むのを防ぐための舌片部を上記揺動カッター部材の後面から後方へ一体状に突設し、上記舌片部は、平面視前後方向一文字型の薄板形状であって、上記揺動カッター部材の前方倒れ姿勢に於て、上記舌片部の上縁部が側面視で上記粘着テープの下面に点状に当接するように構成し、上記舌片部の上縁部において上記粘着テープの下面に点状に当接するテープ支持部の横断面形状を、先細山型に形成し、上記テープ支持部が、上記揺動カッター部材の下端の枢支軸心廻りに揺動して、上方凸型円弧状の軌跡を描くように構成したものである。
【発明の効果】
【０００７】
本発明によれば、粘着テープのテープ先端領域を折り曲げて、仮止めに用いた粘着テープを剥離する際に指で摘まむためのタブを形成でき、紙やプラスチック等の剥離用薄片が不要となり、剥離用薄片の補充の手間や、剥離用薄片のコストを削減できる。折り返しタブを形成する際に、熟練した技量がなくとも、粘着テープが下方へ撓まず、容易かつ確実に、上方凸形に弯曲させて折り返しタブを形成できる。
【図面の簡単な説明】
【０００８】
【図１】本発明の実施の一形態を示す一部破断側面図である。
【図２】平面図である。
【図３】要部断面側面図である。
【図４】要部断面側面図である。
【図５】図３のＡ−Ａ断面図である。
【図６】要部拡大断面側面図である。
【図７】要部拡大正面図である。
【図８】要部側面図である。
【図９】参考例を示す要部拡大断面側面図である。
【図１０】他の実施形態の断面側面図である。
【図１１】参考例を示す要部断面側面図である。
【図１２】参考例を示す要部断面側面図である。
【発明を実施するための形態】
【０００９】
以下、図示の実施形態に基づき本発明を詳説する。
本発明に係るテープカッターは、図１及び図２に示すように、粘着テープ巻体１が外嵌状に取着する保持輪20と、保持輪20を回転自在に枢支する基枠２と、切断刃部39を上部３ａに有すると共に基枠２の前方側の左右側壁部29，29に下端３ｂが枢支され枢支軸心Ｌ３廻りに前後揺動して前方倒れ姿勢と、（図１に於て二点鎖線で示すような）起立状姿勢（鉛直状姿勢）とに切換揺動自在な揺動カッター部材３と、を備えている。
【００１０】
また、揺動カッター部材３が前方へ揺動した際に、揺動カッター部材３の前面３ｆの左右側縁部に当接して前方倒れ姿勢に保持する傾斜状の前方揺動ストッパー部51を、基枠２の左右側壁部29，29から左右内方へ突設している。
つまり、前方倒れ姿勢の揺動カッター部材３で、引き出された粘着テープ10を押し付けるように切断可能に構成している。
また、図３及び図６に示すように、揺動カッター部材３の上部３ａにおいて、切断刃部39の後方近傍位置に、切断刃部39にて切断された粘着テープ10の切断端縁が仮貼着する切断端縁受け部38を形成している。
【００１１】
また、図４に示すように、揺動カッター部材３が後方へ揺動した際に、起立状姿勢となった揺動カッター部材３の後面３ｅに当接して後倒れ姿勢となるのを防止する鉛直状平面52ａを有する当り壁部52を、基枠２に設けている。
さらに、（前方倒れ姿勢の）揺動カッター部材３で粘着テープ10を切断する際に、引き出された粘着テープ10（の中間部）を保持するための仮貼着部25を設けている。
仮貼着部25は、当り壁部52の上端部に突設され、起立状姿勢の揺動カッター部材３の後方位置近傍に配設している。また、仮貼着部25は引き出された粘着テープ10が仮貼着する水平面状の上面25ａを有している。
【００１２】
そして、引き出した粘着テープ10を、前方倒れ姿勢の揺動カッター部材３で切断すると、図３に示すように、粘着テープ10は、（中間部が）仮貼着部25に仮貼着すると共に切断端縁（先端縁）が揺動カッター部材３の切断刃部39及び切断刃部39の後方近傍位置に配設される切断端縁受け部38に仮貼着して、粘着テープ10が引き出された状態で保持される待機状態となるように構成している。
また、揺動カッター部材３の前方倒れ姿勢で、切断刃部39の刃先39ａの位置を、仮貼着部25の上面25ａよりも低くなるように設け、切断刃部39と仮貼着部25の間の粘着テープ10を、側面視で前方下傾型に（前方側が後方側より下がるように）保持している。
【００１３】
待機状態から、揺動カッター部材３を手動で（指等で）押して、切断刃部39と仮貼着部25の間の短寸法Ｓのテープ先端領域Ｅを上方凸形（型）に弯曲するように後方揺動させて、仮貼着部25に切断刃部39が接近して、揺動カッター部材３が前方倒れ姿勢から起立状姿勢（揺動カッター部材３の後面３ｅが当り壁部52の鉛直状平面52ａに当接した鉛直状姿勢）となって、図４に示すように、粘着テープ10における切断刃部39近傍部位と仮貼着部25近傍部位が相互に貼着して、折り返しタブ（剥離用タブ）11を形成するように構成している。
【００１４】
なお、テープ先端領域Ｅは、待機状態の粘着テープ10において切断端縁（先端縁）から仮貼着部25に仮貼着する直前までの部位であり、短寸法とは、５ｍｍ以上８０ｍｍ以下を言う。より好ましくは、１０ｍｍ以上４０ｍｍ以下を言う。
【００１５】
さらに、図１乃至図４に示すように折り返しタブ11を形成する際に、テープ先端領域Ｅが下方へ撓むのを防ぐための薄板状の舌片部31を揺動カッター部材３の後面３ｅから１つ（１枚）突設している。また、テープ先端領域Ｅにおいて、舌片部31が下方から当接する位置は、側面視で（テープ先端領域Ｅの中央位置より）仮貼着部25寄りとなるように設けて、下方への弛み（撓み）を防止している。
舌片部31は、揺動カッター部材３が前方倒れ姿勢の際（図３参照）に、テープ先端領域Ｅに、下方から当接して（押し上げて）、テープ先端領域Ｅ（において仮貼着部25寄り）が側面視で前方下傾斜線状乃至への字状（上方凸型円弧状や山状）に保持するように形成している。
舌片部31は、揺動カッター部材３の前方倒れ姿勢に於て、上縁部31ａが側面視で粘着テープ10の下面10ｅに点状に当接するように設けている。
また、舌片部31は、後述のテープ支持位置Ｑを、側面視で仮貼着部25の前端縁と、切断端縁受け部38の後端縁を結ぶ仮想直線以上の高さ位置に、テープ先端領域Ｅを保持（支持）している。舌片部31は、より好ましくは、後述のテープ支持位置Ｑが上記仮想直線より高い位置となるように押し上げて、テープ先端領域Ｅ（の仮貼着部25側）を側面視でへの字状（山型）に支持する。
【００１６】
また、舌片部31は、図２に示すように、揺動カッター部材３の左右方向略中心位置から突設している。粘着テープ10の左右方向略中心位置に当接して、折り返しタブ11を形成する際の捩れやシワの発生を抑えている。
【００１７】
また、揺動カッター部材３を起立状姿勢に後方揺動させる際に、舌片部31が仮貼着部25及び当り壁部52に衝突するのを防止する逃がしスリット部50を仮貼着部25及び当り壁部52に設けている。つまり、揺動カッター部材３の起立状姿勢（図４参照）で、舌片部31は逃がしスリット部50に差し込まれる。
【００１８】
また、舌片部31は、揺動カッター部材３が前方倒れ姿勢で待機状態の粘着テープ10の粘着面（下面）10ｅと対面状なる上縁部31ａにおいて、粘着テープ10の下面10ｅに点状に当接するテープ支持部31ｇの横断面形状を、図５に示すように、先細山型（刃物型や針山型）に形成している。なお、上縁部31ａの全体を横断面先細山型とするのが好ましい。
また、舌片部31は、粘着面10ｅが貼着しにくいフッ素樹脂等の非粘着性（低粘着性）材で形成、あるいは、上縁部31ａ、又は、上縁部31ａのテープ支持部31ｇをフッ素樹脂コーティング等の非粘着性薄膜で被膜処理するのが望ましい。
また、図３に示すように、テープ支持部31ｇが粘着テープ10に当接する後端のテープ支持位置Ｑと、仮貼着部25と、の間の間隔寸法Ｗを、短寸法Ｓの１０％以上６０％以下に設定している。好ましくは、短寸法Ｓの２０％以上５５％以下に設定する。より好ましくは、短寸法Ｓの３０％以上５２％以下に設定する。下限値未満であると、切断刃部39寄りの粘着テープ10が撓む虞があり、上限値を越えると、仮貼着部25寄りの粘着テープ10が撓む虞がある。
【００１９】
また、図４に示すタブ形成状態は、粘着テープ10は、（中間部が）仮貼着部25に仮貼着すると共に切断端縁（先端縁）が揺動カッター部材３の上部３ａ（切断刃部39及び切断端縁受け部38）に仮貼着している。また、揺動カッター部材３は、折り返しタブ11を形成した起立状姿勢で、折り返しタブ11の基端部を形成する粘着面10ｅ同士の貼着によって、起立状姿勢が保持される。
【００２０】
そして、折り返しタブ11が形成された粘着テープ10を上方へ引き上げると、粘着テープ10が揺動カッター部材３及び仮貼着部25から離間し、揺動カッター部材３は自重により前方倒れ姿勢となるように構成している。
揺動カッター部材３は、自由状態で自重にて前方へ傾倒するように、図４に示すように、起立状姿勢において枢支軸心Ｌ３よりも所定寸法（偏心量）εだけ重心Ｇを前方に有している。
揺動カッター部材３の全体形状や材質を、重心Ｇが枢支軸心Ｌ３よりも前方となるように設けている。また、図示省略するが、重心Ｇが枢支軸心Ｌ３よりも前方となるように、重心位置調整用の錘（重り）部材を有している。
【００２１】
なお、図示省略するが、揺動カッター部材３が前方へ倒れやすくするために、当り壁部52から揺動カッター部材３の離間を補助する倒れ補助弾発付勢部材を設けても良い。例えば、揺動カッター部材３の後面３ｅ側及び当り壁部52の前面側の一方又は両方に設けた凹部に、倒れ補助弾発付勢部材を内装する。倒れ補助弾発付勢部材の弾発力は、粘着テープ10の粘着面10ｅ同士による貼着力よりも小さく設定し、タブ形成後に弾発力によって粘着面10ｅ同士の貼着が剥離しないように設けている。
【００２２】
倒れ補助弾発付勢部材は、軟質の発泡プラスチック、低反発ウレタン、スポンジ等の復元力のある樹脂製の板状乃至ブロック状部材、或いは、コイルバネ、板バネ等の金属製バネ部材、樹脂性の蛇腹状バネ部材、等であれば良い。
【００２３】
また、図６及び図７に示すように、揺動カッター部材３は、切断刃部39の後方近傍位置に配設される切断端縁受け部（面部）38を、揺動カッター部材３の起立状姿勢において刃先39ａより低位置かつ刃の谷部39ｂよりも高い位置（刃先39ａと谷部39ｂの間となる高さ位置）に、設けている。
使用者の手（指）が誤って、鋸刃型の切断刃部39に押し付けられても、刃の谷部39ｂまで食い込むことがなく、ケガを防止する。
つまり、切断刃部39にて切断した粘着テープ10の切断端縁が仮貼着する切断端縁受け部38は、刃の谷部39ｂまで手が食い込むのを防止する食い込み防止部と併用している。
【００２４】
また、揺動カッター部材３は起立状姿勢で、切断刃部39の刃先39ａを後方へ向けている。つまり、切断刃部39を有する金属製の板材37は、切断刃部39の刃先39ａを後方ヘ向かせる屈折乃至弯曲の折れ曲がり部37ａを有している。
刃先39ａを後方へ向けることで、使用者の手に対して刃先39ａが直交するように刺さらずケガを防止する。
また、揺動カッター部材３は、切断刃部39の左右両側に、切断刃部39の刃先39ａよりも上方へ突出した、左右保護壁部33，33を有している。
左右保護壁部33，33によって、人の掌が切断刃部39に接触するのを防止する。
また、板材37は、基枠２に下端が枢支され舌片部31を有する樹脂製の揺動部材30の上部に設けられた差込用溝部30ａに取着される。板材37は、差込用溝部30ａに差し込まれる差込板部37ｄを板バネ状に形成し、揺動部材30（差込用溝部30ａ）に着脱自在（交換自在）としている。
また、切断刃部39を有する板材37に、折曲げ乃至弯曲させた折れ曲がり部37ａを設けず、側面視直線状のまま、切断刃部39が後方へ向くように、揺動部材30に固着しても良い。
例えば、揺動カッター部材３の起立状姿勢で、差込用溝部30ａを側面視後方上傾状に設けて、切断刃部39を有する側面視直線状の板材37を差し込んで、切断刃部39が後方へ向くように設けても良い。
【００２５】
また、揺動カッター部材３は、上部３ａの前方側に、揺動カッター部材３の起立状姿勢で後方上傾状となる勾配面35を有している。
折り返しタブ11を形成後（図４参照）に、折り返しタブ11を指で摘む際に、勾配面35によって、切断刃部39の近傍で指先を切断刃部39よりも下方位置に配設でき、親指の腹で折り返しタブ11を容易に摘めるようにしている。
なお、この勾配面35に、切断刃部39を有する側面視直線状の板材37を、平行状に（面状接触させて）配設して固着し、又は、勾配面35の下半部を盛り上げて板材37の下部（基端部）側を埋設して、切断刃部39が後方へ向くように設けても良い。
【００２６】
また、図８に示すように、基枠２の前方側の左右側壁部29，29に、折り返しタブ11を形成せずに粘着テープ10を摘む際に、テープ先端領域Ｅに指を左右方向から接近させて摘み易くするための切欠状の逃がし部29ａを設けても良い。
【００２７】
なお、図３に於て、揺動カッター部材３が前方倒れ姿勢で、上縁部31ａが側面視で下面（粘着面）10ｅに一点状に当接する。つまり、上縁部31ａにおいて、舌片部31の上縁部31ａの後方突出寸法Ｊの１０％未満の寸法をもった後方側部位を、下面10ｅに当接するテープ支持部31ｇとしている。
図９に示す参考例のように、上縁部31ａの１０％以上の部位をテープ支持部として設けて、線状に当接する場合や、図示省略するが上縁部31ａを波状に形成してテープ支持部を４〜６箇所として点線状に当接する場合に比べて、揺動カッター部材３を後方へ揺動する際に、粘着テープ10が離間（剥離）しやすく、スムーズに上方凸形にできる。
【００２８】
次に、図10に示す他の実施形態は、基枠２の内部に粘着テープ巻体１を回転自在に内装したテープカッターであって、揺動カッター部材３の枢支軸心Ｌ３を、当り壁部52の下方位置に配設し、上部３ａを前方膨出形状として重心を調整し、自重によって前倒れしやすくしたものである。また、揺動ストッパー部51が、揺動カッター部材３の前面３ｆの左右側縁部及び中央部に当接するように設けている。他の構成は、上述の実施形態と同様である。
【００２９】
次に、図11及び図12に示す別の参考例は、揺動カッター部材３において、舌片部31による粘着テープ10のテープ支持位置（テープ支持予定位置）Ｑより前方側、かつ、切断刃部39より後方側に設けられ、前方倒れ姿勢の揺動カッター部材３で粘着テープ10を切断する際に、粘着テープ10が切断刃部39に当接するよりも先に当接して保持（仮貼着）する後方上傾状のガイド仮着斜面61を設けている。
【００３０】
ガイド仮着斜面61の上縁61ａは、側面視で切断刃部39の刃先39ａよりも高い位置に配設されている。また、ガイド仮着斜面61の左右方向（幅）寸法は、粘着テープ10の左右寸法よりも広く（幅広）に設けている。
【００３１】
図11に示すように待機状態では、舌片部31のテープ支持位置Ｑと、切断刃部39の間で、粘着テープ10がガイド仮着斜面61に後方上傾状に仮貼着する（待機状態の粘着テープ10に後方上傾仮貼着部位を形成する）ように構成している。
図12に示すように、揺動カッター部材３が起立状姿勢となると、仮貼着部25にガイド仮着斜面61が接近し、粘着テープ10において仮貼着部25近傍部位とガイド仮着斜面61後方近傍部位10ｇが相互に貼着して、折り返しタブ11を形成するように構成している。
【００３２】
また、切断刃部39と、切断端縁受け部（食い込み防止部）38と、ガイド仮着斜面61と、を一枚の金属製の板材37で形成している。
なお、板材37の作成を容易にするために、図11及び図12に於て刃先39ａを前方に向けて形成したものを図示しているが、後方へ向けて形成したものを用いても良い。他の構成は、上述の実施形態と同様である。
【００３３】
次に、本発明に係るテープカッターの使用方法（作用）について説明する。
使用者は、粘着テープ巻体１から粘着テープ10を引き出し、前方倒れ姿勢の揺動カッター部材３で切断することで、固定貼着作業用（通常使用）の粘着テープ片を容易に形成できる。
【００３４】
そして、梱包作業等において、粘着テープ10を用いて仮止めしたい場合は、待機状態（図３参照）から、指で揺動カッター部材３を押して後方揺動させると、舌片部31によって、テープ先端領域Ｅが下方へ撓まず（垂れず）、スムーズに上方凸形に弯曲する。仮貼着部25に、切断端縁受け部38及び切断刃部39が接近し、粘着テープ10において仮貼着部25前方近傍部位と揺動カッター部材３に仮貼着した箇所の後方側部位とが相互に貼着し、上方凸形の折り返しタブ11が形成される。また、揺動カッター部材３が起立状姿勢に保持される。
【００３５】
また、仮貼着部25及び起立状姿勢の揺動カッター部材３の上方位置に、基枠２の上壁や他部材を配設していない（壁部や部材を省略している）ため、折り返しタブ11を指で摘んで上方へ持ち上げて引き出せることができ、粘着テープ10の粘着面10ｅが指の皮脂等で汚れるのを防止できる。
【００３６】
粘着テープ10が仮貼着部25及び揺動カッター部材３から離間し、揺動カッター部材３が自重によって（自動）で、前方倒れ姿勢となる。
粘着テープ10を引き出して、折り返しタブ11より後方部位を、前方倒れ姿勢となった揺動カッター部材３で、切断することで、長手方向一端部に折り返しタブ11を有する仮止め用粘着テープ片が形成される。
【００３７】
また、揺動カッター部材３は、自由状態で自重にて前方へ傾倒するように、枢支軸心Ｌ３よりも重心Ｇを前方に有するので、折り返しタブ11を形成した後に粘着テープ10を摘んで持ち上げるだけで、揺動カッター部材３が前方倒れ姿勢（切断可能姿勢）となって、迅速に折り返しタブ11付きの粘着テープ10を切断できる。複雑な操作や熟練した技量が不要で、容易に折り返しタブ11付きの粘着テープ10を切断できる。簡素な構造で軽量小型で美観に優れたテープカッターを得ることができる。
【００３８】
なお、図11及び図12で説明したガイド仮着斜面61を設けている参考例は、揺動カッター部材３を後方へ揺動させると、粘着テープ10においてガイド仮着斜面61の後方近傍部位10ｇを、図11に二点鎖線で示すように、ガイド仮着斜面61の傾斜に沿って起立させて、折り返しタブ11を形成する。
【００３９】
なお、本発明は、設計変更可能であって、基枠２の下面に、冷蔵庫やスチール棚等の被磁着面に磁着するためのマグネットシート80を設けているが、シート形状に限らずブロック型や短円柱型とするも良い。また、図２に示すように、基枠２の下部の左右側縁部を、手持ちした際に指が掛かって手から滑落するのを防止する波形状としているが、ゴム等の滑り止め部材を貼着しても良。図11と図12に於て、板材37に切断刃部39を設け、切断端縁受け部（食い込み防止部）38とガイド仮着斜面61を揺動部材30に樹脂や金属等の成型にて一体状に設けても良い。
【００４０】
なお、本発明の説明を容易にするために、基枠２を水平状面の設置面Ｋに載置して使用する場合を基準使用姿勢とし、粘着テープ巻体１から粘着テープ10を引き出す方向を前方として、方向を説明している。したがって、方向を基に、使用状態の姿勢を限定するものではない。
【００４１】
以上のように本発明のテープカッターは、起立状姿勢と前方倒れ姿勢の間を揺動可能として、下端３ｂが基枠２に枢支されると共に上部３ａに切断刃部39を有する揺動カッター部材３を有し、起立状姿勢の揺動カッター部材３の後方近傍位置に、引き出された粘着テープ10を保持する粘着テープ仮貼着部25を設け、揺動カッター部材３における切断刃部39の後方近傍位置に、切断刃部39にて切断された粘着テープ10の切断端縁が仮貼着する切断端縁受け部38を形成し、引き出された粘着テープ10を、前方倒れ姿勢の揺動カッター部材３にて切断し、切断刃部39と仮貼着部25の間の短寸法Ｓのテープ先端領域Ｅを上方凸形に弯曲するように揺動カッター部材３を後方揺動させて起立状姿勢まで揺動すると折り返しタブ11が形成されるように構成し、さらに、折り返しタブ11を形成する際に、テープ先端領域Ｅが下方へ撓むのを防ぐための舌片部31を揺動カッター部材３の後面３ｅから後方へ突設し、揺動カッター部材３の前方倒れ姿勢に於て、舌片部31の上縁部31ａが側面視で粘着テープ10の下面10ｅに点状に当接するように構成し、舌片部31の上縁部31ａにおいて粘着テープ10の下面10ｅに点状に当接するテープ支持部31ｇの横断面形状を、先細山型に形成したので、粘着テープ10のテープ先端領域Ｅを折り曲げて、剥離する際に指で摘める折り返しタブ11を形成でき、紙やプラスチック等の剥離用薄片が不要で、剥離用薄片の補充の手間や、剥離用薄片のコストを削減できる。折り返しタブ11を形成する際に、熟練した技量がなくとも、粘着テープ10が下方へ撓まず、容易かつ確実に、上方凸形に弯曲させて折り返しタブ11を形成できる。操作が簡単で使い勝手が良く、容易かつ迅速に次々と仮止め用粘着テープ片を形成できる。
【符号の説明】
【００４２】
２  基枠
３  揺動カッター部材
３ａ  上部
３ｂ  下端
３ｅ  後面
10  粘着テープ
10ｅ  下面
11  折り返しタブ
25  粘着テープ仮貼着部
31  舌片部
31ａ  上縁部
31ｇ  テープ支持部
38  切断端縁受け部
39  切断刃部
Ｅ  テープ先端領域
Ｌ３ 枢支軸心
Ｓ  短寸法
【要約】      （修正有）【課題】仮止め用粘着テープを形成でき、剥離用紙片のコストや補充作業が不要なテープカッターを提供する。【解決手段】起立状姿勢と前方倒れ姿勢が揺動可能で、下端３ｂが基枠２に枢支され上部３ａに切断刃部３９を有する揺動カッター部材３を有し、起立状姿勢の揺動カッター部材の後方近傍位置に、引き出された粘着テープ１０を保持する粘着テープ仮貼着部２５を設け、揺動カッター部材の切断刃部の後方近傍に、切断された粘着テープの切断端縁が仮貼着する切断端縁受け部を形成し、引き出された粘着テープを、前方倒れ姿勢の揺動カッター部材にて切断し、切断刃部と仮貼着部の間のテープ先端領域を上方凸形に弯曲するように揺動カッター部材を後方揺動させて起立状姿勢まで揺動すると折り返しタブ１１が形成され、さらに、折り返しタブを形成する際に、テープ先端領域が下方へ撓むのを防ぐための舌片部３１を揺動カッター部材の後面３ｅから後方へ突設した。【選択図】図１【図１】
0005531318.tif 000002
【図２】
0005531318.tif 000003
【図３】
0005531318.tif 000004
【図４】
0005531318.tif 000005
【図５】
0005531318.tif 000006
【図６】
0005531318.tif 000007
【図７】
0005531318.tif 000008
【図８】
0005531318.tif 000009
【図９】
0005531318.tif 000010
【図１０】
0005531318.tif 000011
【図１１】
0005531318.tif 000012
【図１２】
0005531318.tif 000013